(57)【特許請求の範囲】
【請求項１】
容器の内部に通じる注出口、及び該注出口を取り囲む注出筒を備える天面壁を有し、該天面壁に連結して該容器の口部に保持される外筒を有するキャップ本体と、該注出口を覆い隠して該キャップ本体に剥ぎ取り可能に固着されるフィルムと、該外筒の後方に設けたヒンジに連結する周壁を有し、該キャップ本体に揺動可能に保持されるとともに該フィルムに覆い被さる蓋体とを備えるフィルム付きヒンジキャップであって、
前記フィルムは、前記注出口を覆い隠すフィルム本体と、該フィルム本体から前記注出筒を乗り越えて前記周壁の前方内面に向けて伸延する摘み部とを有し、
前記周壁は、該摘み部の先端に引っ掛かる引掛け部を有するフィルム付きヒンジキャップ。
【請求項２】
前記引掛け部は、前記周壁の内面を凹ませた凹部である請求項１に記載のフィルム付きヒンジキャップ。
【請求項３】
前記引掛け部は、前記周壁の内面から突出する凸部である請求項１に記載のフィルム付きヒンジキャップ。
【請求項４】
前記引掛け部は、前記周壁の内面から上方に向けて傾斜する突片である請求項１に記載のフィルム付きヒンジキャップ。
【請求項５】
前記突片は、成形時において前記周壁の内面から下方に向けて傾斜し、成形後に折り返されることで上方に向けて傾斜するものである請求項４に記載のフィルム付きヒンジキャップ。
【請求項６】
前記摘み部は、前記フィルム本体に対して折り畳まれ、前記蓋体の開放に伴い上方に向けて復元する折り畳み部を有する請求項１〜５の何れか一項に記載のフィルム付きヒンジキャップ。
【請求項７】
前記フィルムは、アルミニウム層を有する請求項１〜６の何れか一項に記載のフィルム付きヒンジキャップ。
【発明の詳細な説明】
【技術分野】
【０００１】
本発明は、容器の口部に装着されるヒンジキャップにつき、特に内容物の注出口を覆い隠すフィルムを設けて未使用時における容器の密封性を高めた、フィルム付きヒンジキャップに関する。
【背景技術】
【０００２】
内容物の注出口を有し容器の口部に装着されるキャップ本体と、このキャップ本体にヒンジを介して連結する蓋体とを備えるヒンジキャップにおいて、注出口を覆う剥ぎ取り可能なフィルムをキャップ本体に固着させた、フィルム付きヒンジキャップが既知である（例えば特許文献１参照）。このようなフィルム付きヒンジキャップによれば、ガスバリア性の高いフィルムを用いることによって、未使用時の密封性をより高い次元で維持することが可能である。
【０００３】
このようなフィルム付きヒンジキャップからフィルムを剥ぎ取るには、フィルムに設けた摘み部を指で掴んで引き上げる必要がある。しかし通常、キャップ本体には注出口を取り囲む注出筒を設けているため、注出筒が邪魔になって摘み部を掴みにくいという問題がある。このため特許文献１では、摘み部をヒンジ側に設けておき、蓋体を閉じた際に摘み部が押し倒されるようにする一方、蓋体を開くと摘み部が弾性力で起き上がるようにして、摘み部が注出筒よりも飛び出すようにしている。
【先行技術文献】
【特許文献】
【０００４】
【特許文献１】特許第４５８００４９号
【発明の概要】
【発明が解決しようとする課題】
【０００５】
ところでこの種のキャップは、誰にでも簡単に使用できることが望まれているところ、特許文献１のフィルム付きヒンジキャップでは、前述のように摘み部がヒンジ側に設けられているため、蓋体を完全に開かなければ（閉鎖している蓋体を１８０度近く揺動させなければ）、指で摘み部を掴む際に蓋体が邪魔になってしまう。このため、フィルムの剥ぎ取り作業を更に簡単に行うための改善が求められていた。
【０００６】
本発明は、このような点を解決することを課題とするものであり、その目的は、フィルムの剥ぎ取りが更に簡単に行えるようになる、新たなフィルム付きヒンジキャップを提案するところにある。
【課題を解決するための手段】
【０００７】
本発明は、容器の内部に通じる注出口、及び該注出口を取り囲む注出筒を備える天面壁を有し、該天面壁に連結して該容器の口部に保持される外筒を有するキャップ本体と、該注出口を覆い隠して該キャップ本体に剥ぎ取り可能に固着されるフィルムと、該外筒の後方に設けたヒンジに連結する周壁を有し、該キャップ本体に揺動可能に保持されるとともに該フィルムに覆い被さる蓋体とを備えるフィルム付きヒンジキャップであって、
前記フィルムは、前記注出口を覆い隠すフィルム本体と、該フィルム本体から前記注出筒を乗り越えて前記周壁の前方内面に向けて伸延する摘み部とを有し、
前記周壁は、該摘み部の先端に引っ掛かる引掛け部を有するフィルム付きヒンジキャップである。
【０００８】
前記引掛け部は、前記周壁の内面を凹ませた凹部であることが好ましい。
【０００９】
前記引掛け部は、前記周壁の内面から突出する凸部であることが好ましい。
【００１０】
前記引掛け部は、前記周壁の内面から上方に向けて傾斜する突片であることが好ましい。
【００１１】
前記突片は、成形時において前記周壁の内面から下方に向けて傾斜し、成形後に折り返されることで上方に向けて傾斜するものであることが好ましい。
【００１２】
前記摘み部は、前記フィルム本体に対して折り畳まれ、前記蓋体の開放に伴い上方に向けて復元する折り畳み部を有することが好ましい。
【００１３】
前記フィルムは、アルミニウム層を有することが好ましい。
【発明の効果】
【００１４】
本発明では、キャップ本体の後方にヒンジを設ける一方、フィルムの摘み部は、注出口を覆い隠すフィルム本体から注出筒を乗り越えて、蓋体の周壁における前方内面に向けて伸延している。そしてその周壁には、摘み部の先端に引っ掛かる引掛け部を設けている。すなわち、蓋体を開けば引掛け部によって摘み部を持ち上げることができるので、摘み部を掴みやすくなる。また摘み部の先端は、ヒンジに対して逆側（キャップ本体の前方）に位置しているので、これを指で掴むに当たって、蓋体を完全に開かなくても蓋体が邪魔になることがない。ここで引掛け部としては、周壁の内面を凹ませた凹部や周壁の内面から突出する凸部、又は周壁の内面から上方に向けて傾斜する突片を用いることができる。
【００１５】
摘み部に、フィルム本体に対して折り畳まれ、蓋体の開放に伴い上方に向けて復元する折り畳み部を設ける場合は、引掛け部に加えて折り畳み部の復元力を利用して摘み部を持ち上げることができるので、摘み部をより掴みやすくなる。
【００１６】
フィルムに、アルミニウム層を設ける場合は、フィルムのガスバリア性を高めることができるうえ、フィルムにコシを持たせることができるので、摘み部の持ち上がりがより確実なものになる。
【図面の簡単な説明】
【００１７】
【図１】本発明に従うフィルム付きヒンジキャップの第一実施形態を容器に装着した状態で示す、側面視での断面図である。
【図２】図１に示す矢印Ａに沿う矢視図（フィルムは不図示）である。
【図３】図１に示すフィルム付きヒンジキャップの蓋体を開放して、摘み部の持ち上がりが開始される状態を説明する図である。
【図４】本発明に従うフィルム付きヒンジキャップの第二実施形態を容器に装着した状態で示す、側面視での断面図である。
【図５】図４に示すフィルム付きヒンジキャップの蓋体を開放して、摘み部の持ち上がりが開始される状態を説明する図である。
【図６】本発明に従うフィルム付きヒンジキャップの第三実施形態を容器に装着した状態で示す、側面視での断面図である。
【図７】（ａ）は、図６に示すフィルム付きヒンジキャップの蓋体を開放して、摘み部の持ち上がりが開始される状態を説明する図であり、（ｂ）は（ａ）よりも更に蓋体を開放した状態を説明する図である。
【図８】本発明に従うフィルム付きヒンジキャップの第四実施形態を容器に装着した状態で示す、側面視での断面図である。
【図９】図８に示すフィルム付きヒンジキャップの蓋体を開放して、摘み部が持ち上がった状態を説明する図である。
【発明を実施するための形態】
【００１８】
以下、図面を参照して、本発明をより具体的に説明する。なお、本明細書、特許請求の範囲、及び要約書において、「上」とは、蓋体を閉鎖した状態において、キャップ本体に対して蓋体が位置する側であり、「下」とは、その反対側である。また「前」とは、蓋体を開放する際に蓋体に指を掛ける側（指掛け部を設けた側）であり、「後」とはその反対側（ヒンジを設けた側）である。
【００１９】
図１において、符号１００は本発明に従うフィルム付きヒンジキャップ（以下、単に「ヒンジキャップ」と称呼する場合もある）の第一実施形態を示す。ヒンジキャップ１００は、キャップ本体１と、フィルム２と、蓋体３とを備えていて、容器Ｐに装着される。
【００２０】
キャップ本体１は、容器Ｐの口部開口を覆う天面壁１０を備えている。天面壁１０には、天面壁１０を貫通して容器Ｐの内部に通じる注出口１１が設けられている。本実施形態の注出口１１は、図２に示すように円弧状であって、天面壁１０の前方に設けられている。また天面壁１０の後方には、２つの貫通孔（外気導入口）１２が設けられている。また天面壁１０には、注出口１１及び２つの外気導入口１２を個々に区画して設けられ、上方に向けて突出する段部１３が設けられている。
【００２１】
また天面壁１０の上面には、注出口１１及び２つの外気導入口１２を取り囲む注出筒１４が設けられている。本実施形態の注出筒１４は、前方において高さが高く、後方に向かって徐々に高さが低くなっている。また注出筒１４の上端には、径方向外側に向かって湾曲して内容物の液切れ性を向上させたリップが設けられている。また注出筒１４の径方向外側には、上方に向けて延在する環状壁１５が設けられ、環状壁１５の上部には、径方向外側に突出する係止突起１６が設けられている。また天面壁１０の下面には、容器Ｐの口部内面に液密に当接するシール筒部１７が設けられている。
【００２２】
天面壁１０の外縁には、容器Ｐの口部を取り囲む外筒１８が設けられている。本実施形態の外筒１８は、その内面に係合凸部１９を備えていて、容器Ｐの口部外面に設けた係合凹部Ｐ１に係合凸部１９を嵌め込むことで、容器Ｐに保持されている。なお、係合凸部１９及び係合凹部Ｐ１に替えて、ねじによって保持するようにしてもよい。
【００２３】
フィルム２は、注出口１１及び２つの外気導入口１２を覆い隠してキャップ本体１に剥ぎ取り可能に固着されるフィルム本体２０を備えている。本実施形態のフィルム本体２０は、段部１３の上面に固着されている。段部１３を設けずに、フィルム本体２０を天面壁１０の上面に固着することも可能であるが、本実施形態のように段部１３に固着する場合は、段部１３の面積を調整することによってキャップ本体１とフィルム２との固着面積を変更することができるため、キャップ本体１からフィルム２を剥離させる際の強度の調整が行いやすくなる。またフィルム２の固着方法としては、例えば高周波加熱による溶着や接着剤を用いた接着等、種々のものが採用可能である。
【００２４】
フィルム本体２０には、フィルム２を剥がす際に指で掴む部位となる摘み部２１が設けられている。本実施形態の摘み部２１は、フィルム本体２０の前方でフィルム本体２０に連結するとともに、上方に向けて傾斜しながら伸延して注出筒１４を乗り越える上向き部２２と、上向き部２２の上部で折り返されて、下方に向けて傾斜しながら伸延する下向き部２３とを備えている。なお下向き部２３は、蓋体３に設けた、後述する周壁の前方内面に向けて伸延している。
【００２５】
フィルム２は、単層で構成することも、或いは多層で構成することもできる。またフィルム２にアルミニウム層を設ける場合は、フィルムのガスバリア性を高めることができるうえ、フィルム２にコシを持たせることができる。
【００２６】
蓋体３は、外筒１８に連なる円筒状の周壁３０と、周壁３０の上端に連結する円板状の頂壁３１とを備えている。周壁３０は、外筒１８の後方に設けたヒンジ１８ａに連結しており、蓋体３は、キャップ本体１に対して揺動可能に保持されている。頂壁３１には、蓋体３を閉鎖した際に注出筒１４の内面に当接するシール壁３２が設けられている。本実施形態のシール壁３２は、注出筒１４の形状に対応させて、前方での高さが低く、後方に向かって高さが高くなるようにしている。また周壁３０の内面には、キャップ本体１の係止突起１６に係止される係止凹部３３が設けられていて、これにより、蓋体３を閉鎖した状態で維持することができる。また周壁３０の外面には、径方向外側に向けて突出して蓋体３を開放する際に指掛かりとなる指掛け部３４が設けられている。
【００２７】
更に周壁３０は、その前方内面に、摘み部２１に設けた下向き部２３の先端に引っ掛かる、引掛け部Ｈを備えている。本実施形態の引掛け部Ｈは、周壁３０の内面を凹ませた凹部３５として形成されている。
【００２８】
このような形態になるヒンジキャップ１００は、図３に示すように蓋体３を開放すると、凹部３５に引っ掛かった下向き部２３が持ち上げられるので、摘み部２１を指で掴む際に注出筒１４が邪魔になることがない。また、フィルム２にアルミニウム層を設ける場合は、フィルム２のコシが強くなって初期の平板形状に戻ろうとするので、下向き部２３をより高く持ち上げることができる。更に摘み部２１は、ヒンジ１８ａに対して逆側に位置しているので、蓋体３を完全に開かなくても、指で摘み部２１を掴む際に蓋体３が邪魔になることがなくなる。
【００２９】
次に、本発明に従うフィルム付きヒンジキャップの第二実施形態について、図４及び図５を参照しつつ説明する。なお、第一実施形態と共通する部位については、図面に同一の符号を付して説明を省略する。
【００３０】
本実施形態のヒンジキャップ２００は、引掛け部Ｈとして、周壁３０の内面から突出する凸部３６を備えている。本実施形態では、上下に２つの凸部３６を設けているが、１つであってもよい。また本実施形態の凸部３６は、周壁３０の内面を粗面にする程度の突出量が小さいもの（例えば梨地加工やシボ加工で設けた凸部）であってもよい。
【００３１】
そしてヒンジキャップ２００においても、図５に示すように蓋体３を開放すれば、凸部３６に引っ掛かった下向き部２３を持ち上げることができる。
【００３２】
次に、本発明に従うフィルム付きヒンジキャップの第三実施形態について、図６及び図７を参照しつつ説明する。
【００３３】
本実施形態のヒンジキャップ３００は、引掛け部Ｈとして凹部３５に加えて、突片３７を備えている。突片３７は、蓋体３を成形する際は、図６において破線で示すように下方に向けて傾斜する形状であって、成形後、上方に向けて折り返されることで、図６において実線で示すような上方に向けて傾斜する形状になるものである。なお、引掛け部Ｈは、凹部３５を省略して突片３７のみとしてもよい。
【００３４】
ヒンジキャップ３００において蓋体３を開放すると、下向き部２３は、蓋体３の解放直後は図７（ａ）に示すように突片３７に引っ掛かって持ち上げられる。本実施形態の突片３７は、下向き部２３の先端が深く差し込まれるように設けられているので、更に蓋体３の開放を継続すると、図７（ｂ）に示すように下向き部２３を上方に向けて引き起こすことができる。なお、突片３７において、下向き部２３を上方に向けて引き起こすことは必ずしも必要なことではなく、突片３７の長さを短くして、下向き部２３を上方に向けて引き起こす前に、下向き部２３と突片３７との引っ掛かりが解消されるようにしてもよい。
【００３５】
次に、本発明に従うフィルム付きヒンジキャップの第四実施形態について、図８及び図９を参照しつつ説明する。
【００３６】
本実施形態のヒンジキャップ４００は、ヒンジキャップ１００のフィルム２に替えて、フィルム４を設けたものである。フィルム４は、注出口１１及び外気導入口１２を覆い隠して段部１３に剥ぎ取り可能に固着されるフィルム本体４０と、フィルム４を剥がす際に指で掴む部位となる摘み部４１が設けられている。摘み部４１には、フィルム本体４０に対して折り畳まれる折り畳み部４２が設けられている。本実施形態の摘み部４１は、折り畳み部４２として、フィルム本体４０の前方でフィルム本体４０に連結するとともに、フィルム本体４０に対して折り畳まれるように屈曲した後、後方に向けて伸延する第一折り畳み部４３と、第一折り畳み部４３に対して折り畳まれるように屈曲した後、前方に向けて伸延する第二折り畳み部４４とを備えている。また摘み部４１は、第二折り畳み部４４から上方に向けて伸延して注出筒１４を乗り越える上向き部４５と、上向き部４５の上部で折り返されて、下方に向けて傾斜しながら伸延する下向き部４６とを備えている。なお本実施形態の折り畳み部４２は、折り畳まれる部位を２つ備えるものであるが、第一折り畳み部４３を省略するとともに第二折り畳み部４４をフィルム本体４０の後方に連結して、折り畳まれる部位が１つになるようにしてもよい。また詳細な説明は割愛するが、折り畳まれる部位が３つ以上になる折り畳み部を用いてもよい。
【００３７】
図９に示すようにヒンジキャップ４００の蓋体３を開放すると、下向き部４６は、引掛け部Ｈである凹部３５で持ち上げられる。この際、屈曲していた第一折り畳み部４３及び第二折り畳み部４４が復元して、下向き部４６は更に持ち上げられることになるので、摘み部４１がより掴みやすくなる。
【００３８】
本発明に従うフィルム付きヒンジキャップは、前述の実施形態に限定されるものではなく、特許請求の範囲に従う範囲で種々の変更が可能である。例えばヒンジキャップ２００において、フィルム２に替えてフィルム４を用いるように、各実施形態の部材を他の実施形態の部材に置き換えたり、また組み合わせたりすることができる。
【産業上の利用可能性】
【００３９】
本発明によれば、蓋体を開くことで摘み部を持ち上げることができ、また摘み部を指で掴むに当たって蓋体を完全に開かなくても蓋体が邪魔になることがないので、フィルムの剥ぎ取りが更に簡単に行えるようになる、新たなフィルム付きヒンジキャップを提供することができる。
【符号の説明】
【００４０】
１：キャップ本体
２：フィルム
３：蓋体
４：フィルム
１０：天面壁
１１：注出口
１２：外気導入口
１３：段部
１４：注出筒
１５：環状壁
１６：係止突起
１７：シール筒部
１８：外筒
１８ａ：ヒンジ
１９：係合凸部
２０：フィルム本体
２１：摘み部
２２：上向き部
２３：下向き部
３０：周壁
３１：頂壁
３２：シール壁
３３：係止凹部
３４：指掛け部
３５：凹部
３６：凸部
３７：突片
４０：フィルム本体
４１：摘み部
４２：折り畳み部
４３：第一折り畳み部
４４：第二折り畳み部
４５：上向き部
４６：下向き部
１００〜４００：フィルム付きヒンジキャップ
Ｈ：引掛け部
Ｐ：容器
Ｐ１：係合凹部
【図１】
0006284854.tif 000002
【図２】
0006284854.tif 000003
【図３】
0006284854.tif 000004
【図４】
0006284854.tif 000005
【図５】
0006284854.tif 000006
【図６】
0006284854.tif 000007
【図７】
0006284854.tif 000008
【図８】
0006284854.tif 000009
【図９】
0006284854.tif 000010